(57)【要約】【課題】本発明は、操作が簡単である撮影装置及び該撮影装置の調整システム、調整方法を提供することを目的とする。【解決手段】本発明の撮影装置は、調整システムを備え、調整システムは、距離測量ユニット、記憶ユニット、判断ユニット及び調整ユニットを備え、距離測量ユニットはユーザと撮影装置との間の距離を検出し、記憶ユニットは複数の予備設定された予備距離範囲と、該複数の予備設定された予備距離範囲と対応する複数の調整値を保存し、判断ユニットはユーザと撮影装置との間の距離が、複数の予備設定された予備距離範囲内にあるかどうかを判断し、ユーザと撮影装置との間の距離が１つの予備設定された予備距離範囲内にある場合、読み込み指令が生成され、調整ユニットは読み込み指令を受信し、記憶ユニットの中から該予備距離範囲と対応する調整値を読み込み、且つ該調整値によって撮影ユニットの画像の大きさを調節する。【選択図】図２
2015070617.tif 000002
【特許請求の範囲】
【請求項１】
画像を撮影することに用いられ、撮影する際、撮影しようとする画像を拡大或いは縮小でき、撮影ユニット及び調整システムを備え、前記撮影ユニットは、画像を撮影し、且つ対応する画面を生成し、前記調整システムは、前記撮影ユニットが撮影する際に画像の大きさを変更する撮影装置において、
前記調整システムは、距離測量ユニット、記憶ユニット、判断ユニット及び調整ユニットを備え、前記距離測量ユニットは、ユーザと前記撮影装置との間の距離を検出し、前記記憶ユニットは、複数の予備設定された予備距離範囲と、該複数の予備設定された予備距離範囲と対応する複数の調整値を保存し、前記判断ユニットは、ユーザと前記撮影装置との間の距離が、前記複数の予備設定された予備距離範囲内にあるかどうかを判断し、ユーザと前記撮影装置との間の距離が、１つの予備設定された予備距離範囲内にある場合、読み込み指令が生成され、前記調整ユニットは、該読み込み指令を受信し、前記記憶ユニットの中から前記予備距離範囲と対応する調整値を読み込み、且つこの調整値によって、前記撮影ユニットの画像の大きさを調節することを特徴とする撮影装置。
【請求項２】
前記距離測量ユニットは、カメラ及び計算ユニットを備え、前記カメラは、ユーザの顔の画像を検出し、前記計算ユニットは、前記顔の画像の面積と全体画像の面積との比率を計算し、且つ該比率によって、予備設定された計算方法でユーザと前記撮影装置との距離を計算することを特徴とする請求項１に記載の撮影装置。
【請求項３】
前記撮影装置は、表示ユニットを備え、前記表示ユニットは、撮影された画面を表示することを特徴とする請求項１に記載の撮影装置。
【請求項４】
複数の予備距離範囲において、任意の２つの予備距離範囲は異なることを特徴とする請求項１に記載の撮影装置。
【請求項５】
撮影装置に用いられ、前記撮影装置が撮影する際、撮影しようとする画像の大きさを調整する調整システムにおいて、
前記調整システムは、距離測量ユニット、記憶ユニット、判断ユニット及び調整ユニットを備え、前記距離測量ユニットは、ユーザと前記撮影装置との間の距離を検出し、前記記憶ユニットは、複数の予備設定された予備距離範囲と、該複数の予備設定された予備距離範囲と対応する複数の調整値を保存し、前記判断ユニットは、ユーザと前記撮影装置との間の距離が、前記複数の予備設定された予備距離範囲内にあるかどうかを判断し、ユーザと前記撮影装置との間の距離が、１つの予備設定された予備距離範囲内にある場合、読み込み指令が生成され、前記調整ユニットは、該読み込み指令を受信し、前記記憶ユニットの中から前記予備距離範囲と対応する調整値を読み込み、且つこの調整値によって、撮影ユニットの画像の大きさを調節することを特徴とする調整システム。
【請求項６】
撮影装置が撮影する際、撮影しようとする画像の大きさを調整し、前記撮影装置は、記憶ユニットを備え、前記記憶ユニットは、複数の予備設定された予備距離範囲と、該複数の予備設定された予備距離範囲と対応する複数の調整値を保存する調整方法において、
ユーザと前記撮影装置との間の距離を検出するステップと、
ユーザと前記撮影装置との間の距離が、複数の予備設定された予備距離範囲内にあるかどうかを判断するステップと、
ユーザと前記撮影装置との間の距離が、１つの予備設定された予備距離範囲内にある場合、前記記憶ユニットの中から該予備距離範囲と対応する調整値を読み込むステップと、
前記調整値によって、前記撮影ユニットの画像の大きさを調節するステップと、
画像を撮影するステップと、を備えることを特徴とする調整方法。
【請求項７】
前記ユーザと前記撮影装置との間の距離を検出するステップは、
ユーザの顔の画像を検出するステップと、
顔の画像の面積と全体画像の面積との比率を計算するステップと、
該比率によって、予備設定された計算方法でユーザと前記撮影装置との距離を計算するステップと、を備えることを特徴とする請求項６に記載の調整方法。
【発明の詳細な説明】
【技術分野】
【０００１】
本発明は、撮影技術に関し、特に撮影装置及びその調整システム、調整方法に関するものである。
【背景技術】
【０００２】
現在、撮影専用カメラ、撮影機能を有する携帯電話及びタブレットパソコン等の撮影装置が、日常生活の中で頻繁に使用されている。しかし、撮影する際に、撮影しようとする画像を拡大或いは縮小したい場合、ディスプレイを指でタッチするか、或いは操作ボタンを押して、拡大或いは縮小しなければならない。この場合、両手で操作しなければならないので、操作が複雑である。また、両手を同時に使うので、操作途中に、撮影装置を落とす恐れがある。
【発明の概要】
【発明が解決しようとする課題】
【０００３】
以上の問題点に鑑みて、本発明は、操作が簡単である撮影装置及び該撮影装置の調整システム、調整方法を提供することを目的とする。
【課題を解決するための手段】
【０００４】
上記の課題を解決するために、本発明の撮影装置は、画像を撮影することに用いられ、撮影する際、撮影しようとする画像を拡大或いは縮小することができ、撮影ユニット及び調整システムを備え、撮影ユニットは、画像を撮影し、且つ対応する画面を生成し、調整システムは、撮影ユニットが撮影する際に画像の大きさを変更し、調整システムは、距離測量ユニット、記憶ユニット、判断ユニット及び調整ユニットを備え、距離測量ユニットは、ユーザと撮影装置との間の距離を検出し、記憶ユニットは、複数の予備設定された予備距離範囲と、該複数の予備設定された予備距離範囲と対応する複数の調整値を保存し、判断ユニットは、ユーザと撮影装置との間の距離が、複数の予備設定された予備距離範囲内にあるかどうかを判断し、ユーザと撮影装置との間の距離が、１つの予備設定された予備距離範囲内にある場合、読み込み指令が生成され、調整ユニットは、読み込み指令を受信し、記憶ユニットの中から予備距離範囲と対応する調整値を読み込み、且つ該調整値によって、前記撮影ユニットの画像の大きさを調節する。
【０００５】
上記の課題を解決するために、本発明の調整システムは、撮影装置に用いられ、撮影装置が撮影する際、撮影しようとする画像の大きさを調整し、調整システムは、距離測量ユニット、記憶ユニット、判断ユニット及び調整ユニットを備え、距離測量ユニットは、ユーザと撮影装置との間の距離を検出し、記憶ユニットは、複数の予備設定された予備距離範囲と、該複数の予備設定された予備距離範囲と対応する複数の調整値を保存し、判断ユニットは、ユーザと撮影装置との間の距離が、複数の予備設定された予備距離範囲内にあるかどうかを判断し、ユーザと撮影装置との間の距離が、１つの予備設定された予備距離範囲内にある場合、読み込み指令が生成され、調整ユニットは、読み込み指令を受信し、記憶ユニットの中から予備距離範囲と対応する調整値を読み込み、且つ該調整値によって、前記撮影ユニットの画像の大きさを調節する。
【０００６】
上記の課題を解決するために、本発明の調整方法は、撮影装置が撮影する際、撮影しようとする画像の大きさを調整し、撮影装置は、記憶ユニットを備え、記憶ユニットは、複数の予備設定された予備距離範囲と、該複数の予備設定された予備距離範囲と対応する複数の調整値を保存し、ユーザと撮影装置との間の距離を検出するステップと、ユーザと前記撮影装置との間の距離が、複数の予備設定された予備距離範囲内にあるかどうかを判断するステップと、ユーザと撮影装置との間の距離が、１つの予備設定された予備距離範囲内にある場合、記憶ユニットの中から予備距離範囲と対応する調整値を読み込むステップと、該調整値によって、撮影ユニットの画像の大きさを調節するステップと、画像を撮影するステップと、を備える。
【発明の効果】
【０００７】
本発明の撮影装置及び調節方法は、撮影装置を使用し、この撮影装置を移動させると、撮影装置とユーザとの間の距離が変更され、該変更距離によって画像の大きさを変更する。即ち、撮影しようとする画像を拡大或いは縮小することができる。従って、従来の操作方法よりも調整方法が簡単であり、且つ手によってディスプレイをタッチしたり、操作ボタンを押したりする必要がない。また、撮影装置を操作する際、撮影装置の落下を防止することができる。
【図面の簡単な説明】
【０００８】
【図１】本発明に係る撮影装置の応用環境を示す図である。
【図２】本発明に係る撮影装置の調整システムの機能モジュールを示す図である。
【図３】本発明に係る撮影装置の調整方法のフローチャートである。
【図４】図３に示した調整方法におけるユーザと撮影装置との間の距離を検出する際のフローチャートである。
【発明を実施するための形態】
【０００９】
以下、図面に基づいて、本発明に係る撮影装置及び該撮影装置の調整システム、調整方法について詳細に説明する。図１に示したように、撮影装置９００は、画像を撮影することに用いられ、撮影する際、撮影しようとする画像を拡大或いは縮小することができる。本実施形態において、撮影装置９００は、デジタルカメラである。他の実施形態において、撮影装置９００は、撮影機能を有する携帯電話、タブレットパソコン及びパソコン等であってもよい。
【００１０】
撮影装置９００は、撮影ユニット１００及び表示ユニット２００を備える。撮影ユニット１００は、画像を撮影し、且つ対応する画面を生成する。表示ユニット２００は、撮影した画面を表示する。撮影装置９００は、更に調整システム３００を備える。調整システム３００は、撮影ユニット１００が撮影する際、画像の大きさを変更する。本実施形態において、表示ユニット２００は、液晶ディスプレイである。
【００１１】
図２に示したように、調整システム３００は、距離測量ユニット３１０、記憶ユニット３２０、判断ユニット３３０及び調整ユニット３４０を備える。
【００１２】
距離測量ユニット３１０は、ユーザと撮影装置９００との間の距離を検出する。本実施形態において、距離測量ユニット３１０は、カメラ３１０１及び計算ユニット３１０２を備える。カメラ３１０１は、撮影ユニット１００と対向する一側に設置される。カメラ３１０１は、ユーザの顔の画像を検出する。計算ユニット３１０２は、顔の画像の面積と全体画像の面積との比率を計算し、且つ該比率によって、予備設定した計算方法によってユーザと撮影装置９００との距離を計算する。撮影装置９００とユーザとの間の距離が変更した場合、カメラ３０１０中のユーザの顔の画像の大きさを変更する。詳しく説明すれば、撮影装置９００がユーザに近づくと、ユーザの顔の画像の面積は大きくなり、撮影装置９００がユーザから離れると、ユーザの顔の画像の面積は小さくなる。例えば、計算ユニット３１０２が現在の顔の画像の面積と全体画像の面積との比率を３：５と計算した場合、さらに予備設定した計算方法によって、ユーザと撮影装置９００との間の距離が２６ｃｍであることを計算する。また、計算ユニット３１０２が現在の顔の画像の面積と全体画像の面積との比率が１：５であると計算した場合、さらに予備設定した計算方法によって、ユーザと撮影装置９００との間の距離が７４ｃｍであることを計算する。本実施形態において、予備設定した計算方法は、Ｙ＝−１５０Ｘ２＋８０であり、Ｙは、ユーザと撮影装置９００との間の距離であり、Ｘは、現在の顔の画像の面積と全体画像の面積との比率である。他の実施形態において、計算ユニット３１０２は、顔の画像の幅と全体画像の幅との比率を計算する。この際の予備設定した計算方法は、実際の要求によって設定できる。また、距離測量ユニット３１０は、従来の距離測量装置であり、例えば、レーダー距離測量装置、超音波距離測量装置、赤外線距離測量装置である。
【００１３】
記憶ユニット３２０は、複数の予備設定された予備距離範囲と、該複数の予備設定された予備距離範囲と対応する複数の調整値を保存する。この際、複数の予備設定された予備距離範囲の数量は、Ｎであり、Ｎは、１或いは１より大きい自然数である。任意の２つの予備距離範囲は異なり、また、任意の隣接する２つの予備距離範囲は、一定の間隙をあけて設定することができる。例えば、第一予備距離範囲は、１０ｃｍ〜２５ｃｍであり、第二予備距離範囲は、３０ｃｍ〜４５ｃｍである。調整値は、撮影ユニット１００中の初期画像の拡大倍数であり、各予備距離範囲は、それぞれ異なる対応する調整値を有する。例えば、調整値が１の場合、撮影ユニット１００中の初期画像は、拡大されていない状態であり、調整値が２の場合、撮影ユニット１００中の初期画像は、２．５倍に拡大された状態を示す。本実施形態において、記憶ユニット３２０は、５つの予備距離範囲を保存している。この際、第一予備距離範囲は、ユーザと撮影装置９００との距離が２５ｃｍより小さく、第二予備距離範囲は、ユーザと撮影装置９００との距離が２５ｃｍより大きく、且つ３５ｃｍより小さい。第三予備距離範囲は、ユーザと撮影装置９００との距離が３５ｃｍより大きく、且つ４５ｃｍより小さい。第四予備距離範囲は、ユーザと撮影装置９００との距離が４５ｃｍより大きく、且つ５５ｃｍより小さい。第五予備距離範囲は、ユーザと撮影装置９００との距離が５５ｃｍより大きい。第一予備距離範囲に対応する調整値は、１であり、第二予備距離範囲に対応する調整値は、１．５であり、第三予備距離範囲に対応する調整値は、２．５であり、第四予備距離範囲に対応する調整値は、３．５であり、第五予備距離範囲に対応する調整値は、４．５である。
【００１４】
判断ユニット３３０は、ユーザと撮影装置９００との間の距離が、複数の予備設定された予備距離範囲内にあるかどうかを判断する。ユーザと撮影装置９００との間の距離が、複数の予備設定された予備距離範囲内のいずれか１つの予備設定された予備距離範囲内にある場合、読み込み指令が生成される。ユーザと撮影装置９００との間の距離が、複数の予備設定された予備距離範囲内にない場合、検出指令が生成される
【００１５】
距離測量ユニット３１０は、検出指令に応答して、ユーザと撮影装置９００との間の距離を検出する。
【００１６】
調整ユニット３４０は、読み込み指令を受信し、記憶ユニット３２０の中から該予備距離範囲と対応する調整値を読み込み、且つ該調整値によって、撮影ユニット１００の画像の大きさを調節する。
【００１７】
図３に示したように、撮影装置の調整方法は、以下のステップ（Ｓ２０１〜Ｓ２０６）を備える。ステップＳ２０１において、距離測量ユニット３１０は、ユーザと撮影装置９００との間の距離を検出する。ステップＳ２０２において、判断ユニット３３０は、ユーザと撮影装置９００との間の距離が、複数の予備設定された予備距離範囲内にあるかどうかを判断する。例えば、ユーザと撮影装置９００との間の距離が、複数の予備設定された予備距離範囲内のいずれ１つの予備設定された予備距離範囲内にある場合、ステップＳ２０３に進む。ユーザと撮影装置９００との間の距離が、複数の予備設定された予備距離範囲内にない場合、ステップＳ２０１に進む。ステップＳ２０３において、調整ユニット３４０が、記憶ユニット３２０の中から該予備距離範囲と対応する調整値を読み込む。ステップＳ２０４において、調整ユニット３４０は、調整値によって、撮影ユニット１００の画像の大きさを調節する。ステップＳ２０５において、撮影ユニット１００は、画像を撮影し、且つ対応する画面を生成する。ステップＳ２０６において、表示ユニット２００は、撮影した画面を表示する。
【００１８】
図４に示したように、ユーザと撮影装置との間の距離を検出するステップは、以下のステップ（Ｓ２０１１〜Ｓ２０１３）を備える。ステップＳ２０１１において、カメラ３１０１は、ユーザの顔の画像を検出する。ステップＳ２０１２において、計算ユニット３１０２は、顔の画像の面積と全体画像の面積との比率を計算する。ステップＳ２０１３において、計算ユニット３１０２は、該比率によって、予備設定された計算方法によってユーザと撮影装置９００との距離を計算する。
【００１９】
本発明の撮影装置９００及び調節方法は、撮影装置９００を使用し、この撮影装置９００を移動させると、撮影装置９００とユーザとの間の距離が変更され、該変更距離によって画像の大きさを変更する。即ち、撮影しようとする画像を拡大或いは縮小することができる。従って、従来の操作方法よりも調整方法が簡単であり、且つ手によってディスプレイをタッチしたり、操作ボタンを押したりする必要がない。また、撮影装置９００を操作する際、撮影装置９００の落下を防止することができる。
【符号の説明】
【００２０】
９００  撮影装置
１００  撮影ユニット
２００  表示ユニット
３００  調整システム
３１０  距離測量ユニット
３１０１  カメラ
３１０２  計算ユニット
３２０  記憶ユニット
３３０  判断ユニット
３４０  調整ユニット
【図１】
2015070617.tif 000003
【図２】
2015070617.tif 000004
【図３】
2015070617.tif 000005
【図４】
2015070617.tif 000006